(57)【要約】【課題】虫誘引システムにおいて、天敵昆虫が害虫を捕食した後に、天敵昆虫を圃場内の任意の場所に誘引することにより、圃場内において天敵昆虫の生息密度を高め、害虫による農作物の被害を確実に防ぐようにする。【解決手段】虫誘引システム１は、圃場２内に居る害虫の天敵昆虫を誘引するものであって、誘引光を照射する光源３ａと、光源３ａを点灯制御する制御装置３とを備える。制御装置３は、自然光が圃場内に照射されていない時間帯のうち、任意の時間帯に光源３ａを点灯させる。光源３ａによる誘引光の照射位置は、圃場２内に設定される。自然光が圃場内に照射されていない時間帯に、光源３ａからの誘引光により天敵昆虫を誘引するので、誘引光の照射位置を天敵昆虫の餌場に設定しておくことで、天敵昆虫を害虫の捕食後に餌場に凝集させることができ、その結果、天敵昆虫が死滅したり、他の餌場を求めて圃場から離散してしまうことがなくなる。【選択図】図３
2010220530.tif 000002
【特許請求の範囲】
【請求項１】
圃場内に居る害虫の天敵昆虫を誘引する虫誘引システムであって、
誘引光を照射する光源と、前記光源を点灯制御する制御部とを備え、
前記制御部は、自然光が圃場内に照射されていない時間帯のうち、任意の時間帯に前記光源を点灯させ、
前記光源による誘引光の照射位置が圃場内に設定され、誘引される天敵昆虫を凝集させることを特徴とする虫誘引システム。
【請求項２】
外光照度を測定する照度測定部を備え、
前記制御部は、前記照度測定部による測定照度が予め定められた閾値を下回ったときに日の入りと判断し、このとき前記光源の点灯制御を開始することを特徴とする請求項１に記載の虫誘引システム。
【請求項３】
日の入り設定時刻又は日の出設定時刻を登録する設定時刻登録部を備え、
前記制御部は、前記設定時刻登録部により登録された日の入り設定時刻又は日の出設定時刻に基づき、前記光源を点灯させる時間帯を決定することを特徴とする請求項１に記載の虫誘引システム。
【請求項４】
天敵昆虫が誘引される領域に、天敵昆虫の代替餌が設置されていることを特徴とする請求項１乃至請求項３のいずれか一項に記載の虫誘引システム。
【発明の詳細な説明】
【技術分野】
【０００１】
本発明は、圃場内に居る害虫の天敵昆虫を誘引する虫誘引システムに関する。
【背景技術】
【０００２】
従来から、農作物に発生した害虫を防除するために、害虫の天敵昆虫を圃場内に放散し、天敵昆虫により害虫を捕食させることが知られている。この種の害虫防除のための構成において、害虫の減少に伴って天敵昆虫が餌不足により死滅しないよう、農作物の周辺に天敵昆虫の代替餌を設置することで、圃場内において天敵昆虫の生息密度を維持し、害虫の増加を持続的に抑制しようとするものがある（例えば、特許文献１参照）。
【先行技術文献】
【特許文献】
【０００３】
【特許文献１】特開２００６−１５８３４８号公報
【発明の概要】
【発明が解決しようとする課題】
【０００４】
しかしながら、上述のような害虫防除構成においては、代替餌のある餌場に天敵昆虫を誘引する効果が十分でないために、天敵昆虫を害虫捕食後に餌場に集めることができず、害虫が減少していくと、天敵昆虫が死滅したり、他の餌場を求めて圃場外に離散することがある。
【０００５】
本発明は、上記問題を解決するためになされたものであり、天敵昆虫が害虫を捕食した後に、天敵昆虫を圃場内の任意の場所に誘引することにより、圃場内において天敵昆虫の生息密度を高め、害虫による農作物の被害を確実に防ぐことができる虫誘引システムを提供することを目的とする。
【課題を解決するための手段】
【０００６】
上記目的を達成するために請求項１の発明は、圃場内に居る害虫の天敵昆虫を誘引する虫誘引システムであって、誘引光を照射する光源と、前記光源を点灯制御する制御部とを備え、前記制御部は、自然光が圃場内に照射されていない時間帯のうち、任意の時間帯に前記光源を点灯させ、前記光源による誘引光の照射位置が圃場内に設定され、誘引される天敵昆虫を凝集させるものである。この任意の時間帯としては、天敵昆虫の害虫捕食活動や生体リズムを乱すことなく、天敵昆虫を集中的に誘引可能な時間帯が挙げられ、例えば、天敵昆虫が害虫の捕食活動を終了してから数時間程度である。
【０００７】
請求項２の発明は、請求項１に記載の発明において、外光照度を測定する照度測定部を備え、前記制御部は、前記照度測定部による測定照度が予め定められた閾値を下回ったときに日の入りと判断し、このとき前記光源の点灯制御を開始するものである。
【０００８】
請求項３の発明は、請求項１に記載の発明において、日の入り設定時刻又は日の出設定時刻を登録する設定時刻登録部を備え、前記制御部は、前記設定時刻登録部により登録された日の入り設定時刻又は日の出設定時刻に基づき、前記光源を点灯させる時間帯を決定するものである。
【０００９】
請求項４の発明は、請求項１乃至請求項３のいずれか一項に記載の発明において、天敵昆虫が誘引される領域に、天敵昆虫の代替餌が設置されているものである。
【発明の効果】
【００１０】
請求項１の発明によれば、自然光が圃場内に照射されていない時間帯のうち任意の時間帯に、光源からの誘引光により天敵昆虫を誘引するので、誘引光の照射位置を天敵昆虫の餌場に設定しておくことで、天敵昆虫を害虫の捕食後に餌場に凝集させることができ、その結果、天敵昆虫が死滅したり、他の餌場を求めて圃場から離散してしまうことがなくなる。従って、害虫の減少に伴って圃場内において天敵昆虫の生息密度が減少することを回避でき、害虫による農作物の被害を確実に防ぐことができる。ひいては、餌場等において天敵昆虫の効果的な生殖行動を促すことが可能となり、圃場内での天敵昆虫の生息密度を高めることができる。
【００１１】
請求項２の発明によれば、照度測定部による測定照度により日の入りを判断し、日の入りしたときに光源により天敵昆虫を誘引するので、自然光が圃場内に照射されなくなると天敵昆虫が効果的に凝集され、圃場内での天敵昆虫の生息密度を簡便に維持できる。また、日の入り後の自然光が圃場内に照射されていない時間帯に、光源から誘引光を照射するので、昼行性を有した天敵昆虫に対し、その捕食活動や生体リズムを乱すことがなく、誘引効果が高い。
【００１２】
請求項３の発明によれば、登録された日の入り設定時刻又は日の出設定時刻を基に光源を点灯させるので、自然光が圃場内に照射されなくなると天敵昆虫が効果的に凝集され、圃場内での天敵昆虫の生息密度を簡便に維持できる。また、日の入り設定時刻を基準として光源を点灯させる場合には、昼行性を有した天敵昆虫に対し、その捕食活動や生体リズムを乱すことがなく、誘引効果が高い。また、日の出設定時刻を基準として光源を点灯させる場合には、夜行性を有した天敵昆虫に対し、その捕食活動や生体リズムを乱すことがなく、誘引効果が高い。
【００１３】
請求項４の発明によれば、害虫が減少した場合、光源により誘引された天敵昆虫は代替餌を捕食するようになるので、天敵昆虫が死滅したり、他の餌場を求めて圃場から離散してしまうことを確実に防止できる。
【図面の簡単な説明】
【００１４】
【図１】本発明の第１の実施形態に係る虫誘引システムの構成図。
【図２】（ａ）は上記虫誘引システムの誘引装置の斜視図、（ｂ）は同誘引装置の側断面図。
【図３】（ａ）は光源を点灯する前の天敵昆虫が害虫を捕食する状態を示す図、（ｂ）は光源を点灯した後の天敵昆虫が誘引装置に誘引される状態を示す図、（ｃ）は天敵昆虫が誘引装置内に凝集された状態を示す図、（ｄ）は光源を消灯した後の天敵昆虫が誘引装置から出て行く状態を示す図。
【図４】本制御装置による測定照度に基づく光源制御において光源の点灯／消灯タイムチャートの一例を示す図。
【図５】本発明の第２の実施形態に係る虫誘引システムの構成図。
【図６】本制御装置による日の入り設定時刻に基づく光源制御において光源の点灯／消灯タイムチャートの一例を示す図。
【図７】本制御装置による日の出設定時刻に基づく光源制御において光源の点灯／消灯タイムチャートの一例を示す図。
【発明を実施するための形態】
【００１５】
（第１の実施形態）
本発明の第１の実施形態に係る虫誘引システムについて図１乃至図４を参照して説明する。図１は本実施形態に係る虫誘引システム１の構成を示す。虫誘引システム１は、圃場２内に居る害虫の天敵昆虫を誘引するものであって、誘引光を照射する光源３ａを有した複数の誘引装置３と、光源３ａを点灯制御する制御装置（制御部）４と、圃場２内での外光照度を測定する照度センサ（照度測定部）５とを備えている。各誘引装置３は、圃場２内にある畝２１の周囲と、圃場２の略中央に適宜設置されており、光源３ａによる誘引光の照射位置が圃場２内に設定される。制御装置４は、各誘引装置３と配電線６により接続されており、圃場２内に照度センサ５と一体的に設置されている。ここで、害虫は、畝２１に植栽された農作物２２（例えば、ナスビやトマト、胡瓜、バラ等）に危害を与えるものであって、ハダニ、カイガラムシ等の農業害虫である。天敵昆虫は、害虫と農作物２２の種類及び量に応じて、適切な種類で且つ数量分、圃場２内に放散される。
【００１６】
図２は誘引装置３の構成を示す。誘引装置３は、前後面が開口された略箱型状の筐体３１に光源３ａを収容しており、光源３ａからの誘引光を装置３外部に出力し、天敵昆虫を筐体３１内に誘引する。光源３ａは、直管型の捕虫用ランプであって、筐体３１の両側内壁に配されたソケット３２に取り付けられている。ソケット３２には、安定器３３を介して制御装置４からの配電線６が接続されている。光源３ａから照射される誘引光は、虫の走光曲線又は視感度曲線に基づいて設定された紫外光とされ、３００〜６００ｎｍの間に波長ピークを有している。光源３ａの種類としては、蛍光灯やＬＥＤ、冷陰極ランプ、水銀ランプ、キセノンランプ等が挙げられる。光源３ａにおける誘引光の照射時間は、制御装置４によって制御される。
【００１７】
筐体３１の内部は、誘引された天敵昆虫を凝集させる採集部となっており、天敵昆虫の代替餌３４が設置されている。この代替餌３４は、農作物２２に害を及ばすことのない昆虫類であって、例えば、アリガタシマアザミウマ、コナダニ類、ククメリスカブリダニ等である。筐体３１の内面は、光源３ａから誘引光を反射する部材で構成されることが望ましく、この場合、光源３ａからの誘引光が筐体３１から無駄なく出力されるようになる。なお、誘引装置３は、光源３ａからの誘引光を圃場２外にも照射できるように配置されていてもよく、この場合、圃場２外の土壌に生息する天敵昆虫も誘引することが可能となる。
【００１８】
制御装置４は、自然光が圃場２内に照射されていない時間帯のうち、任意の時間帯に光源３ａを点灯させるものであり、例えば、マイクロコンピュータで構成される。制御装置４は、照度センサ５による測定照度が予め定められた閾値を下回ったときに日の入りと判断し、このとき光源３ａの点灯制御を開始する。光源３ａを点灯させる時間（任意の時間帯）としては、天敵昆虫の害虫捕食活動や生体リズムを乱すことなく、天敵昆虫を誘引装置３へと集中的に誘引可能な時間帯が挙げられ、例えば、天敵昆虫が害虫の捕食活動を終了してから数時間（１〜３時間）程度である。本実施形態における光源３ａの点灯態様は、日の入り後に光源３ａを点灯させるものであるので、昼行性の天敵昆虫に対して誘引効果が高い。昼行性の天敵昆虫としては、寄生蜂や捕食性ダニ、捕食性カメムシ、捕食性テントウムシ類、捕食性アザミウマ、蜘蛛類等が挙げられる。
【００１９】
図３を参照して、上記のように構成された虫誘引システム１において天敵昆虫（△で示す）が害虫（●で示す）を捕食する作用について時系列に説明する。ここでは、図３（ａ）に示すように、圃場２内に自然光が照射されており、誘引装置３の光源３ａは消灯しているものとする。このとき、天敵昆虫は、農作物２２に付着している害虫を捕食し、これにより、圃場２内における害虫の生息密度が減少する。図３（ｂ）に示すように、日の入り後、自然光が圃場２内に照射されなくなると光源３ａが点灯し、天敵昆虫は光源３ａからの誘引光により筐体３１内に誘引される。図３（ｃ）に示すように、筐体３１内に誘引された天敵昆虫は筐体３１内に凝集され、このとき筐体３１内にある代替餌を捕食する。光源３ａの点灯後、所定時間経過すると、光源３ａが消灯し、天敵昆虫は筐体３１内で活動を休止する。図３（ｄ）に示すように、日の出後、再び自然光が圃場２内に照射されると、天敵昆虫は、害虫を捕食するために圃場２へと分散する。
【００２０】
図４は、制御装置４による測定照度に基づく光源制御において、光源３ａの点灯／消灯タイムチャートの一例を示す。制御装置４は、任意に設定される時刻になると（図中Ａ）、照度センサ５により外光照度を測定を開始する。照度センサ５による測定照度が予め定められた閾値を下回ったとき（図中Ｂ）、制御装置４は日の入りと判断し、所定時間（例えば、２時間程度）経過した後（図中Ｃ）、光源３ａを点灯させる。このとき、制御装置４は、照度センサ５による照度測定を終了する。光源３ａの点灯開始後、所定時間（例えば、２時間程度）経過すると（図中Ｄ）、光源３ａが消灯する。日の入りと判断してから光源３ａを点灯させるまでの時間と、光源３ａの点灯時間は、ユーザにより設定される。以後、上記制御動作は、日毎に繰り返される。
【００２１】
このように本実施形態に係る虫誘引システム１によれば、自然光が圃場２内に照射されていない時間帯のうち任意の時間帯に、光源３ａからの誘引光により天敵昆虫を誘引するので、誘引光の照射位置を天敵昆虫の餌場に設定しておくことで、天敵昆虫を害虫の捕食後に餌場に凝集させることができ、その結果、天敵昆虫が死滅したり、他の餌場を求めて圃場２から離散してしまうことがなくなる。従って、害虫の減少に伴って圃場２内において天敵昆虫の生息密度が減少することを回避でき、害虫による農作物２２の被害を確実に防ぐことができる。ひいては、餌場等において天敵昆虫の効果的な生殖行動を促すことが可能となり、圃場２内での天敵昆虫の生息密度を高めることができる。また、害虫が減少した場合、光源３ａにより誘引された天敵昆虫は代替餌３４を捕食するようになるので、天敵昆虫が死滅したり、他の餌場を求めて圃場から離散してしまうことを確実に防止できる。
【００２２】
また、照度センサ５による測定照度により日の入りを判断し、日の入りしたときに光源３ａにより天敵昆虫を誘引するので、自然光が圃場２内に照射されなくなると天敵昆虫が効果的に凝集され、圃場２内での天敵昆虫の生息密度を簡便に維持できる。また、日の入り後の自然光が圃場２内に照射されていない時間帯に、光源３ａから誘引光を照射するので、昼行性を有した天敵昆虫に対し、その捕食活動や生体リズムを乱すことがなく、誘引効果が高い。
【００２３】
（第２の実施形態）
本発明の第２の実施形態に係る虫誘引システムについて図５乃至図７を参照して説明する。図５は本実施形態に係る虫誘引システム１の構成を示す。虫誘引システム１は、上述の照度センサ５に代えて、日の入り設定時刻又は日の出設定時刻を登録する設定時刻登録部７を備えている。設定時刻登録部７は、制御装置４に接続可能な入力デバイス等で構成され、ユーザにより入力される時刻を日の入り設定時刻又は日の出設定時刻として、制御装置４に内蔵されたメモリに記憶させる。
【００２４】
制御装置４は、設定時刻登録部７により登録された日の入り設定時刻又は日の出設定時刻に基づき、光源３ａを点灯させる時間帯を決定する。その他の構成については上記第１の実施形態と同様である。なお、日の入り設定時刻又は日の出設定時刻を用いた光源３ａの制御構成は、上記に限られず、例えば、制御装置４のメモリに、所定の地域別に年間を通じた日の入り／日の出設定時刻を記録させておき、ユーザが設定時刻登録部７より本システム１の設置された地域を選択する構成であってもよい。
【００２５】
図６は、制御装置４による日の入り設定時刻に基づく光源制御において、光源３ａの点灯／消灯タイムチャートの一例を示す。制御装置４は、登録された日の入り設定時刻になると日の入りと判断し、その後、所定時間（例えば、２時間程度）経過したとき（図中Ａ）、光源３ａを点灯させる。光源３ａの点灯開始後、所定時間（例えば、２時間程度）経過すると（図中Ｂ）、制御装置４は光源３ａを消灯させる。日の入りと判断してから光源３ａを点灯させるまでの時間と、光源３ａの点灯時間は、ユーザにより設定される。以後、上記制御動作は、日毎に繰り返される。このような光源３ａの点灯態様は、第1の実施形態と同様に、昼行性の天敵昆虫に対して効果的である。
【００２６】
図７は、制御装置４による日の出設定時刻に基づく光源制御において、光源３ａの点灯／消灯タイムチャートの一例を示す。制御装置４は、登録された日の出設定時刻から所定時間（例えば、４時間程度）、遡った時刻になると（図中Ａ）、光源３ａを点灯させる。この時刻は、ユーザにより予め設定される。光源３ａの点灯開始後、所定時間（例えば、２時間程度）経過すると（図中Ｂ）、制御装置４は光源３ａを消灯させる。以後、上記制御動作は、日毎に繰り返される。上記のような光源３ａの点灯制御は、夜行性の天敵昆虫に対して効果的であり、夜行性の天敵昆虫としては、捕食性ゴミムシ類や捕食性タマバエ類等が挙げられる。
【００２７】
このように本実施形態に係る虫誘引システム１についても、第１の実施形態と同様の効果が得られる。また、登録された日の入り設定時刻又は日の出設定時刻を基に光源３ａを点灯させるので、自然光が圃場２内に照射されなくなると天敵昆虫が効果的に凝集され、圃場２内での天敵昆虫の生息密度を簡便に維持できる。また、日の入り設定時刻を基準として光源３ａを点灯させる場合には、昼行性を有した天敵昆虫に対し、その捕食活動や生体リズムを乱すことがなく、誘引効果が高い。また、日の出設定時刻を基準として光源３ａを点灯させる場合には、夜行性を有した天敵昆虫に対し、その捕食活動や生体リズムを乱すことがなく、誘引効果が高い。
【００２８】
なお、本発明は、上記各種実施形態の構成に限られず、発明の趣旨を変更しない範囲で種々の変形が可能である。例えば、虫誘引システム１の設置箇所は、圃場２に限られず、ビニールハウス等の栽培施設であってもよい。また、天敵昆虫の代替餌３４は、天敵昆虫が誘引される領域に設置されていればよく、誘引装置３の筐体３１内に加えて、その周囲に設置されていても上記の効果を発する。
【符号の説明】
【００２９】
１  虫誘引システム
２  圃場
３  誘引装置
３ａ  光源
３４  代替餌
４  制御装置（制御部）
５  照度センサ（照度測定部）
７  設定時刻登録部
【図１】
2010220530.tif 000003
【図２】
2010220530.tif 000004
【図３】
2010220530.tif 000005
【図４】
2010220530.tif 000006
【図５】
2010220530.tif 000007
【図６】
2010220530.tif 000008
【図７】
2010220530.tif 000009